(57)【要約】【課題】  監視装置に関するもので、監視事象の抑制を図ることを提供する。【解決手段】  本発明は、天井に取り付けられる取付ベース５と、取付ベース５に装着された本体ケース６と、本体ケース６内に設けられた監視カメラ１２、および監視カメラ１２で撮影された映像を投射する投射器１４と、監視カメラ１２、および投射器１４に接続された制御部と、この制御部に接続された監視対象物検出センサーとを備え、制御部により、監視カメラ１２で撮影した監視対象物の映像を、投射器１４から本体ケース６、または取付ベース５に設けた投射開口部４３を介して、本体ケース６外、または取付ベース５外に投射させる構成とするとともに、投射開口部４３には、投射方向を変更する投射方向変更手段４４を設けた。【選択図】図３
2013138347.tif 000002
【特許請求の範囲】
【請求項１】
天井に取り付けられる取付ベースと、前記取付ベースに装着された本体ケースと、前記本体ケース内に設けられた監視カメラと、前記監視カメラで撮影した映像を投射する投射器と、前記取り付けベースに設けられた投射開口部と、前記監視カメラおよび前記投射器に接続された制御部とを備え、前記投射開口部には前記投射器の投射方向を変更する投射方向変更手段を設け、前記監視カメラで撮影している映像を、前記投射開口部を介して前記本体ケース外または前記取付ベース外に投射させることを特徴とする監視装置。
【請求項２】
前記投射方向変更手段は、前記投射開口部外に着脱自在に装着される反射体によって構成されることを特徴とする請求項１に記載の監視装置。
【請求項３】
前記監視カメラには、監視方向を変更する監視方向変更手段を設けたことを特徴とする請求項１または２に記載の監視装置。
【請求項４】
前記監視方向変更手段は、角度調整手段と回動調整手段を有することを特徴とする請求項３に記載の監視装置。
【請求項５】
前記制御部には、前記監視カメラで撮影した監視対象物の映像を、前記本体ケース内または前記取付ベース内に設けた送信部から、前記本体ケース外または前記取付ベース外に送信する撮影ボタンを電気的に結合させた請求項１ないし４のいずれかに記載の監視装置。
【請求項６】
前記取付ベースに対して前記本体ケースを可動自在に装着するとともに、前記本体ケースを前記取付ベースに対して可動させる可動手段を設け、前記監視カメラ、および監視対象物検出センサーは前記本体ケースに装着した請求項５に記載の監視装置。
【請求項７】
前記監視カメラを、前記監視対象物検出センサーで検出した監視対象物方向に向けて可動させる可動手段を設けた請求項６に記載の監視装置。
【発明の詳細な説明】
【技術分野】
【０００１】
本発明は、監視装置に関するものである。
【背景技術】
【０００２】
撮影装置は、一般的に、監視カメラ、監視対象物検出センサー、監視モニターおよび、これらに接続した制御部を有する構成となっていた（例えば下記特許文献１）。
【０００３】
すなわち、監視対象物検出センサーが監視対象物を捉えると、監視カメラで捉えた映像を監視モニターに送信することで、監視活動が行えるようになっている。
【先行技術文献】
【特許文献】
【０００４】
【特許文献１】特開２００５−２３６４６４号公報
【発明の概要】
【発明が解決しようとする課題】
【０００５】
上記従来例において、監視カメラで監視対象物が捉えられると、監視モニターによりその状態を確認することができるのであるが、一般的には、監視カメラの設置場所と監視モニターは離れていることが多く、撮影した画像を見てから対応すると、遅れてしまうことがある。例えば、監視カメラで犯人を撮影していても、監視モニターを監視している警備員が現場に駆けつけた時には、既に犯人は犯行を済ませて逃走してしまうことが多い。
【０００６】
本発明は、犯人に犯行を思い留まらせるように抑制することができる監視装置を提供することを目的とする。
【課題を解決するための手段】
【０００７】
本発明は、天井に取り付けられる取付ベースと、前記取付ベースに装着された本体ケースと、前記本体ケース内または前記取付ベース内に設けられた監視カメラ、および投射器と、前記投射器から前記本体ケースまたは前記取り付けベースに設けられた投射開口部と、前記監視カメラおよび前記投射器に接続された制御部とを備え、前記投射開口部には投射方向を変更する投射方向変更手段を設け、前記監視カメラで撮影した監視対象物の映像を、前記投射開口部を介して前記本体ケース外または前記取付ベース外に投射させることにより、犯人に犯行を思い留まらせるように抑制することができるものである。
【発明の効果】
【０００８】
以上のように、本発明は、ことで、監視事象の進行を抑制することができる。
【０００９】
すなわち、本発明においては、監視カメラで捉えられた映像は、直ちに投射器から本体ケースまたは取付ベースに設けられた投射開口部を介し、本体ケース外、または取付ベース外に投射させる構成となっているので、不審者は、投射器から投射させる自分の映像を見ることで、監視されている実態を知り、不正行為を思い止まったり、中断したりすることも期待でき、その結果として、監視事象の進行を抑制することができるのである。
【００１０】
また、本体ケースまたは取付ベースの投射開口部には、投射器の投射方向を変更する投射方向変更手段を設けたものであるので、監視場所に応じ、適切な場所に監視映像を投射することが出来、極めて設置性の優れたものとなる。
【図面の簡単な説明】
【００１１】
【図１】本発明の実施の形態１にかかる監視装置の設置例を示す斜視図
【図２】本発明の実施の形態１にかかる監視装置の斜視図
【図３】本発明の実施の形態１にかかる監視装置の一部を切断した斜視図
【図４】本発明の実施の形態１にかかる監視装置の要部斜視図
【図５】本発明の実施の形態１にかかる監視装置の制御ブロック図
【図６】本発明の実施の形態１にかかる監視装置のシステム構成図
【図７】本発明の実施の形態１にかかる監視装置の要部ブロック図
【図８】本発明の実施の形態１にかかる監視装置の動作フローチャート
【図９】本発明の実施の形態１にかかる監視装置の動作フローチャート
【図１０】本発明の実施の形態１にかかる監視装置の動作フローチャート
【図１１】本発明の実施の形態１にかかる監視装置の動作フローチャート
【発明を実施するための形態】
【００１２】
以下、本発明の一実施形態を、アルバム作成も出来る例を用い、図面を用いて説明する。
【００１３】
（実施の形態１）
図１は、本発明の実施の形態１にかかる監視装置の設置例を示す斜視図である。図１において、玄関内側１近傍における室内の天井３には監視装置４が設置されている。この監視装置４は、図２〜図４に示すように、下面が開口した箱状の取付ベース５と、この取付ベース５の下方に水平方向に回転自在に装着された、上面が開口した半円球状の本体ケース６とにより構成されている。
【００１４】
この内、取付ベース５は、例えば取付具（図示せず）により、図１のごとく、天井３に取り付けられている。
【００１５】
また、本体ケース６は図２に示すごとく、上面が開口した半円球状となっており、その上面開口部側が図３に示すように、取付ベース５に対し、水平方向で回動自在に設置されている。
【００１６】
具体的には、取付ベース５は図３のごとく箱状となっており、その下面に円形の下面開口部７が形成されている。
【００１７】
また、半円球状となった本体ケース６の上面に形成された円形の上面開口部８外周部には、取付ベース５の下面開口部７の縁を上下で掴むリング状の保持部９を設けている。
【００１８】
この為、本体ケース６は、その保持部９により取付ベース５の下面開口部７の縁を上下で掴んだ状態で、取付ベース５に対し、水平方向で回動自在となっている。
【００１９】
また、本体ケース６の上面開口部８に設けたリング状の保持部９には、図３、図４のごとく上面開口部８の内方に延びた支持部１０を設けている。
【００２０】
この支持部１０には、所定間隔で対向する支持片１１を設けており、この両支持片１１間に監視カメラ１２が軸１３で回動自在に支持されている。つまり、軸１３に設けた摘み４１を緩めて、監視カメラ１２の撮影方向（角度調整）を調整後、摘み４１を締め付ければ、その調整位置で、監視カメラ１２は固定されるようになっている。
【００２１】
一方、監視カメラ１２の角度調整範囲にあわせて、本体ケース６には、球状の下面中心部から上面開口部８に向けて帯状の監視開口部４２が設けられている。
【００２２】
つまり、以上の構成により、監視カメラ１２の監視方向を変更する監視方向変更手段（角度調整手段と回動調整手段を有する）が構成され、監視カメラ１２の監視方向（撮影方向）は、水平方向には、本体ケース６を、取付ベース５に対し、水平方向で回動させることで調整し、垂直方向には摘み４１を緩めて角度調整することにより調整し、これにより図１に示すように適宜の場所で、適切な調整が出来るようになっているのである。
【００２３】
一方、箱状の取付ベース５内には、図３のごとく、投射器１４が設置されており、その投射方向の取付ベース５には、投射開口部４３が設けられている。
【００２４】
また、投射開口部４３には、投射器１４の投射方向を変更する投射方向変更手段４４が設けられている。この投射方向変更手段４４は、取付ベース５の投射開口部４３外に着脱自在に装着された下面開口の容器４５と、この容器４５内において投射開口部４３の外方に斜めに対向した反射体４６と、この反射体４６の傾斜角度を容器４５外から調整するための摘み４９とにより構成されている。反射体４６はミラーになっており、反射するようになっている。
【００２５】
つまり、取付ベース５の投射開口部４３には、投射器１４の投射方向を変更する投射方向変更手段４４が着脱自在に装着されるようになっている。具体的には、取付ベース５の投射開口部４３に投射方向変更手段４４を装着すれば、図１に示すように投射器１４の投射方向を下方に変更し、それによって投射器１４からの投射映像を、玄関内側１近傍の床面１５に結像させることができる。また、取付ベース５の投射開口部４３に投射方向変更手段４４を装着しなければ、玄関内側１近傍の壁４８に、投射器１４からの投射映像を結像させることができる。
【００２６】
本実施形態の監視装置は、家族のアルバム作成も出来るようになっているので、次にこのアルバム作成について説明する。
【００２７】
図１の使用者１６が玄関内側１で監視カメラ１２の前に立つと、本体ケース６外面の監視カメラ１２近傍に取付けた監視対象物検出センサー（図５の２５）によって投射器１４が起動され、その結果として監視カメラ１２によって撮影した映像が、玄関内側１の床面１５に投射されるようになっているのである。
【００２８】
使用者１６はその映像を確認し、下駄箱１８上においた撮影ボタン１９を押せば、床面１５に投射される映像が図５、図６の送信部２０からサーバー２１に伝送される様になっている。つまり、サーバー２１側において、アルバムの自動的作成が行われるようになっているのである。
【００２９】
そして、そのような動作を行わせるために、図５、図６に示すように、監視カメラ１２の撮像部２２、投射器１４、監視対象物検出センサー１７、撮影ボタン１９を制御部２３に接続している。
【００３０】
また、制御部２３には初期設定入力部２４、映像処理部２５、メモリ２６等も接続されている。
【００３１】
一方、サーバー２１側においては、監視装置４の送信部２０に接続された通信制御部２７を有し、この通信制御部２７には制御部２８が接続されている。
【００３２】
また、制御部２８には、画像識別部２９、画像蓄積部３０、処理定義部３１、送信部３２が接続されており、さらに送信部３２には図６の携帯電話３３に画像をメール送信する
メール送信部３４と、アルバムを作成するためのアルバム生成部３５が接続されている。
【００３３】
なお、処理定義部３１には、図７に示すように、登録家族（家族ＩＤ・名前・画像ファイル名）３６と、ルール定義３７が接続されている。
【００３４】
以上の構成において、図１のごとく監視装置４を、玄関内側１近傍における室内の天井３に設置した状態で、初期設定入力部２４により、先ずは初期設定を行う。
【００３５】
この初期設定入力部２４は例えば、下駄箱１８上の撮影ボタン１９近傍に配置されているので、図１の状態で、初期設定入力部２４により制御部２３で登録モードを選択する（図８のＳ１）。
【００３６】
次に、初期設定入力部２４により制御部２３で撮像部２２を駆動し、ズームで使用者１６の顔を検出する（図８のＳ２）。
【００３７】
映像処理部２５により顔検出が出来たことが判明すると、制御部２３は、投射器１４から床面１５への投射映像に顔枠を付す（図８のＳ３）。
【００３８】
この状態になると、使用者１６は下駄箱１８上の撮影ボタン１９を押す（図８のＳ４）。
【００３９】
すると、制御部２３は映像処理部２５に１ショット取得指示を出し、その時の１ショット映像はメモリ２６に保存される（図８のＳ５、Ｓ６）。
【００４０】
また、この後、制御部２３は、送信部２０に対して、メモリ２６に保存された１ショット映像に、サービスＩＤを付加し、サーバー２１側に送信する指示を出す（図８のＳ７）。
【００４１】
一方、サーバー２１側の通信制御部２７により、送信部２０からの１ショット映像受信を検出すると（図９のＳ１）、制御部２８は、監視カメラ１２側で付加されたサービスＩＤを確認することで、登録ユーザか否かを判定する（図９のＳ２）。
【００４２】
登録ユーザであれば、サーバー２１側ではサービスＩＤが付加された１ショット映像を、図５、図７の処理定義部３１に保存する（図９のＳ３）。
【００４３】
次に、サーバー２１側の条件入力部３８から、処理定義部３１に保存された１ショット映像に対して図７のごとく家族ＩＤを付加し（図９のＳ４）、これを繰り返すことにより、図７の登録家族（家族ＩＤ・名前・画像ファイル名）３６が作成される。
【００４４】
つまり、図７においては、浅沼太郎・浅沼花子・浅沼一郎・浅沼愛子がそれぞれ登録された状態となっている。
【００４５】
続いて、サーバー２１側の条件入力部３８から登録家族（家族ＩＤ・名前・画像ファイル名）３６に対する、図７に示すルール定義３７を入力する（図９のＳ５）。
【００４６】
例えば、ルール定義３７の（００３）では、浅沼愛子の１ショット映像がサーバー２１に送られてきた場合には、その映像を浅沼太郎（単身赴任中の父親）に送信するようにルール設定がなされている。
【００４７】
さて、このようにして初期設定が完了すると、１ショット映像からアルバムを残したい
使用者１６は、図１のように玄関内側１で監視カメラ１２の前に立つ。
【００４８】
すると、本体ケース６外面の監視カメラ１２近傍に取付けた監視対象物検出センサー（図５の２５）によって投射器１４が起動され、その結果として監視カメラ１２によって撮影した映像が、玄関内側１の床面１５に投射される。
【００４９】
使用者１６は、床面１５に投射された映像を確認し、自分で満足行く状態であれば、下駄箱１８上の撮影ボタン１９を押す。
【００５０】
すると、制御部２３は映像処理部２５に１ショット取得指示を出し、その時の１ショット映像はメモリ２６に保存される。
【００５１】
また、この後、制御部２３は、送信部２０に対して、メモリ２６に保存された１ショット映像に、サービスＩＤを付加し、サーバー２１側に送信する指示を出す。
【００５２】
一方、サーバー２１側の通信制御部２７により送信部２０からの１ショット映像受信を検出すると、制御部２８は、監視カメラ１２側で付加されたサービスＩＤを確認することで、登録ユーザか否かを判定する。
【００５３】
登録ユーザであれば、サーバー２１側の制御部２８は、その家族のルール定義３７を確認し、このルール定義３７の条件にしたがってアルバム作成指示が出される（図１０のＳ１）。
【００５４】
この時、既に画像蓄積部３０には、今までに撮り集めた映像が蓄積されているので、制御部２８は画像蓄積部３０から家族ＩＤに合致する画像を検索し（図１０のＳ２）、ルール定義３７の条件で定めた指定期間内の画像を抽出し（図１０のＳ３）、送信部３２を介してアルバム生成部３５に渡し、アルバムを作成する（図１０のＳ４）。
【００５５】
また、例えば浅沼愛子の１ショット映像を浅沼太郎（単身赴任中の父親）に送信するように処理定義部３１のルール定義３７でルール設定していた場合には、サーバー２１側では次のような動作が行われる。
【００５６】
すなわち、サーバー２１側の通信制御部２７により、送信部２０からの１ショット映像受信を検出すると（図１１のＳ１）、制御部２８は、監視カメラ１２側で付加されたサービスＩＤを確認することで、登録ユーザか否かを判定する（図１１のＳ２）。
【００５７】
登録ユーザであれば、サーバー２１側の制御部２８は、その家族のルール定義３７を確認し、このルール定義３７の条件にしたがって画像に時刻情報を付加し、画像蓄積部３０に保存する（図１１のＳ３）。
【００５８】
続いて、画像識別部２９で処理定義部３１の画像（図７の登録家族３６）と一致するか否かを確認する（図１１のＳ４）。
【００５９】
そして、画像識別部２９において一致する画像が存在することが確認されると（図１１のＳ５）、その画像に家族ＩＤを付加し（図１１のＳ６）、続いてルール定義３７で設定したルールを確認し、このルールに従って浅沼愛子の画像を、メール送信部３４から、浅沼太郎（単身赴任中の父親）に送信する（図１１のＳ７、Ｓ８）。
【００６０】
次に、玄関側から玄関内側１に人が入ってきた状態につい説明する。
【００６１】
このとき、人が玄関内側１に人が入ってきたことは、監視対象物検出センサー１７によってそれが検出され、これによって投射器１４が起動され、その結果として監視カメラ１２によって撮影した映像が、玄関内側１の床面１５に投射される。
【００６２】
この場合、進入者が家族であれば、単に監視対象物検出センサー１７等が適切に稼動していることを確認できるだけに留まるが、不審者であった場合には、不審者は投射器１４から投射させる自分の映像を見ることで、監視されている実態を知り、不正行為を思い止まったり、中断したりすることも期待でき、その結果として、被害を最小限に抑えることもできる。
【００６３】
なお、図５において、動き検知手段（これも監視対象物検出センサーの一例となる）３９を設けると、進入者がドア４０を開いた状態から投射器１４を起動できるようになるので、上記不審者に対して、より早く警告を発することもできるようになる。
【００６４】
具体的には、撮像部２２で捉えた映像を、映像処理部２５を介して動き検知手段３９に供給すれば、この動き検知手段３９において、映像中に動きがあるか、否かの検出が行われ、つまりドア４０の開放と同時に投射器１４が起動され、その結果として監視カメラ１２によって撮影した映像が、玄関内側１の床面１５に投射される。
【００６５】
この場合、不審者はドア４０を開放したとたんに、投射器１４から投射させる自分の映像を見ることとなり、直ちに監視されている実態を知り、不正行為を思い止まったり、中断したりすることも期待でき、その結果として、被害を最小限に抑えることもできるのである。
【００６６】
一方、監視対象物検出センサー１７を設けた場合には、監視カメラ１２の撮影場所と異なる位置を検知することができるので、監視カメラ１２は玄関内部を撮影し、監視対象物検出センサー１７は玄関の外を検出するようにすることができる。
【００６７】
また、処理定義部３１のルール定義３７で、図７のごとく、８時３０分から２０時までの間に、動き検知手段３９の検出があった場合には、浅沼太郎と浅沼花子にメール送信するようにルール設定していた場合には、撮像部２２で捉えた映像が、送信部２０、サーバー２１を介して、浅沼太郎と浅沼花子の携帯電話３３に送信される。
【００６８】
なお、本体ケース６を取付ベース５に対して回転させる可動手段（図示せず）を設け、監視対象物検出センサー１７、または動き検知手段３９によって監視対象物を検出した場合に、監視カメラ１２が監視対象物を撮影できるように、可動手段によって監視カメラ１２を追従移動させるようにしてもよい。つまり、監視カメラ１２は本体ケース６とともに、取付ベース５に対して回転することができるようになっているので、このような追従動作も可能となる。
【００６９】
勿論、監視カメラ１２を監視対象物に対して追従動作させるようにしても良い。
【００７０】
また、監視カメラ１２の設置状況から、監視カメラ１２によって撮影した映像を、投射器１４から、玄関内側１の壁４８に投射される必要が生じたときには、取付ベース５の投射開口部４３から投射方向変更手段４４を取り外せばよい。
【００７１】
なお、上記実施形態では、本体ケース６内に監視カメラ１２を配置したが、これを取付ベース５内に配置することも出来る。
【００７２】
さらに、上記実施形態では、取付ベース５内に投射器１４を設けたが、この投射器１４
を本体ケース６内に設けてもよく、この場合には、投射開口部４３は本体ケース６に設けることとなる。
【産業上の利用可能性】
【００７３】
以上のように本発明においては、監視カメラで捉えられた映像が、直ちに投射器から本体ケースまたは前記取付ベースに設けられた投射開口部を介し、本体ケース外、または取付ベース外に投射させる構成となっているので、不審者は、投射器から投射させる自分の映像を見ることで、監視されている実態を知り、不正行為を思い止まったり、中断したりすることも期待でき、その結果として、監視事象の進行を抑制することができるのである。
【００７４】
また、前記本体ケースまたは前記取付ベースの投射開口部には、投射器の投射方向を変更する投射方向変更手段を設けたものであるので、監視場所に応じ、適切な場所に監視映像を投射することが出来、極めて設置性の優れたものとなる。
【００７５】
したがって、監視装置として広く活用されることが期待される。
【符号の説明】
【００７６】
１  玄関内側
３  天井
４  監視装置
５  取付ベース
６  本体ケース
７  下面開口部
８  上面開口部
９  保持部
１０  支持部
１１  支持片
１２  監視カメラ
１３  軸
１４  投射器
１５  床面
１６  使用者
１７  監視対象物検出センサー
１８  下駄箱
１９  撮影ボタン
２０  送信部
２１  サーバー
２２  撮像部
２３  制御部
２４  初期設定入力部
２５  映像処理部
２６  メモリ
２７  通信制御部
２８  制御部
２９  画像識別部
３０  画像蓄積部
３１  処理定義部
３２  送信部
３３  携帯電話
３４  メール送信部
３５  アルバム生成部
３６  登録家族（家族ＩＤ・名前・画像ファイル名）
３７  ルール定義
３８  条件入力部
３９  動き検知手段
４０  ドア
４１  摘み
４２  監視開口部
４３  投射開口部
４４  投射方向変更手段
４５  容器
４６  反射体
４８  壁
４９  摘み
【図１】
2013138347.tif 000003
【図２】
2013138347.tif 000004
【図３】
2013138347.tif 000005
【図４】
2013138347.tif 000006
【図５】
2013138347.tif 000007
【図６】
2013138347.tif 000008
【図７】
2013138347.tif 000009
【図８】
2013138347.tif 000010
【図９】
2013138347.tif 000011
【図１０】
2013138347.tif 000012
【図１１】
2013138347.tif 000013